(57)【要約】      （修正有）【課題】作業員の負担を軽減しつつ、絶縁棒先端の振れを抑えてカメラの画像のぶれをなくし、柱上機器や高圧・低圧架線などの鮮明な画像を得ることができる充電部点検装置およびカメラ固定治具を提供する。【解決手段】本考案にかかる充電部点検装置１００の代表的な構成は、絶縁棒１１０と、絶縁棒の先端近傍に取り付けられたカメラ１２０と、絶縁棒の先端近傍に取り付けられていて、絶縁棒の軸方向に対して少なくとも横方向に延長され、撮影対象の周辺に当接させるためのアーム１４０と、を備えていることを特徴とする。【選択図】図１
0003203472.tif 000002
【実用新案登録請求の範囲】
【請求項１】
絶縁棒と、
前記絶縁棒の先端近傍に取り付けられたカメラと、
前記絶縁棒の先端近傍に取り付けられていて、前記絶縁棒の軸方向に対して少なくとも横方向に延長され、撮影対象の周辺に当接させるためのアームと、
を備えていることを特徴とする充電部点検装置。
【請求項２】
絶縁棒と、
前記絶縁棒の先端近傍に取り付けられたカメラと、
前記絶縁棒の先端近傍に取り付けられていて、前記絶縁棒の軸方向に対して少なくとも横方向に延長され、撮影対象の周辺に当接させるためのアームと、
前記アームの中途位置に取り付けられていて、該アームの軸方向に対して直交する方向に延長されたパットと、
を備えていることを特徴とする充電部点検装置。
【請求項３】
前記パットは、前記アームから上方または下方の一方または両方に延長されていることを特徴とする請求項２に記載の充電部点検装置。
【請求項４】
前記アームには幅を狭くする切欠きが複数形成されていて、
前記パットには、前記アームに対応する広い幅と前記切欠きに対応する狭い幅を有する２段穴が形成されていて、
前記パットの２段穴の広い幅の部分に前記アームをスライド可能に挿通し、
前記パットの２段穴の狭い幅の部分を前記アームの複数の切欠きのいずれかに嵌合させることにより、該パットの位置調整が可能であることを特徴とする請求項２または３のいずれか１項に記載の充電部点検装置。
【請求項５】
絶縁棒の先端近傍に取り付けられたカメラの位置を固定するためのカメラ固定治具であって、
前記絶縁棒の先端近傍に取り付けられていて、前記絶縁棒の軸方向に対して少なくとも横方向に延長され、撮影対象の周辺に当接させるためのアームと、
前記アームの中途位置に取り付けられていて、該アームの軸方向に対して直交する方向に延長されたパットと、
を備えていることを特徴とするカメラ固定治具。
【考案の詳細な説明】
【技術分野】
【０００１】
本考案は、柱上機器や高圧・低圧架線などの高所の充電部の点検に適した充電部点検装置、およびカメラ固定治具に関する。
【背景技術】
【０００２】
従来、変圧器などの柱上機器の発錆状況や銘板点検、高圧・低圧架線の損傷状況などを点検するために、高所作業車を使用して行っている。また、高所作業車を駐車することができない箇所は作業員が昇柱して確認している。高所作業車を使用するためには許可申請の手間があり、また路上駐車することになるため交通渋滞を生じる可能性もある。作業員が昇柱する場合には、落下や感電の恐れに注意する必要がある。したがって、これらの作業の負担を軽減し効率的に作業を行うことが要請されている。
【０００３】
特許文献１には、操作棒（絶縁棒）の上端に取り付けたカメラの撮像信号を下端のビデオ本体側に送り、高圧・低圧架線や柱上機器の画像で点検や調査を行う構成が開示されている。これにより、作業員が感電することなく、安全に点検や調査作業を行う効果があると説明されている。
【先行技術文献】
【特許文献】
【０００４】
【特許文献１】特開平１０−３０７１０８号公報
【考案の概要】
【考案が解決しようとする課題】
【０００５】
しかしながら絶縁棒の長さは最大８ｍほどにもなり、特許文献１の構成では強風や絶縁棒の重量によって絶縁棒先端が振れてしまうため、カメラの画像がぶれてしまう。すると銘板の文字を読み取ることや、損傷の詳細な様子を観察することが難しくなってしまうという問題がある。また、絶縁棒が重いために地上作業員の負担が大きく、長時間作業することは困難である。
【０００６】
そこで本考案は、作業員の負担を軽減しつつ、絶縁棒先端の振れを抑えてカメラの画像のぶれをなくし、柱上機器や高圧・低圧架線などの鮮明な画像を得ることが可能な充電部点検装置およびカメラ固定治具を提供することを目的としている。
【課題を解決するための手段】
【０００７】
上記課題を解決するために、本考案にかかる充電部点検装置の代表的な構成は、絶縁棒と、絶縁棒の先端近傍に取り付けられたカメラと、絶縁棒の先端近傍に取り付けられていて、絶縁棒の軸方向に対して少なくとも横方向に延長され、撮影対象の周辺に当接させるためのアームと、を備えていることを特徴とする。
【０００８】
上記構成によれば、アームを撮影対象の周辺に当接させることにより、強風や絶縁棒の重量による絶縁棒先端の振れを抑えてカメラの画像のぶれをなくすことができる。したがって柱上機器や高圧・低圧架線などの鮮明な画像を得ることができ、銘板の文字を読み取ったり、発錆や損傷の程度を正確に把握したりすることができる。また、アームを撮影対象の周辺にひっかけることにより、作業員が負担する絶縁棒およびカメラの重量を大幅に軽減できるため、長時間の作業も容易となる。
【０００９】
本考案にかかる充電部点検装置の他の代表的な構成は、絶縁棒と、絶縁棒の先端近傍に取り付けられたカメラと、絶縁棒の先端近傍に取り付けられていて、絶縁棒の軸方向に対して少なくとも横方向に延長され、撮影対象の周辺に当接させるためのアームと、アームの中途位置に取り付けられていて、アームの軸方向に対して直交する方向に延長されたパットと、を備えていることを特徴とする。
【００１０】
上記構成によれば、上記の作用効果に加えて、絶縁棒の横方向（アームの軸方向）にも突き当てることが可能となる。したがって、より絶縁棒先端の振れを安定させることが可能となる。
【００１１】
パットは、アームから上方または下方の一方または両方に延長されていることが好ましい。アームを撮影対象の周辺に当接させる場合には、上からひっかける場合と、下から押し上げる場合が想定される。そしてパットを上下に延長させておくことにより、いずれの場合にもパットを撮影対象の周辺に当接させることができ、絶縁棒先端の振れを安定させることができる。
【００１２】
アームには幅を狭くする切欠きが複数形成されていて、パットには、アームに対応する広い幅と切欠きに対応する狭い幅を有する２段穴が形成されていて、パットの２段穴の広い幅の部分にアームをスライド可能に挿通し、パットの２段穴の狭い幅の部分をアームの複数の切欠きのいずれかに嵌合させることにより、パットの位置調整が可能であることが好ましい。
【００１３】
これによりパットより突出するアームの長さを調節することができる。したがって現場の腕金のサイズにあわせたり、腕金周辺に存在するケーブルを超えて腕金に届くようにアーム先端を伸ばすことができるため、より絶縁棒先端の振れを安定させることができる。
【００１４】
上記課題を解決するための他の代表的な構成は、絶縁棒の先端近傍に取り付けられたカメラの位置を固定するためのカメラ固定治具であって、絶縁棒の先端近傍に取り付けられていて、絶縁棒の軸方向に対して少なくとも横方向に延長され、撮影対象の周辺に当接させるためのアームと、アームの中途位置に取り付けられていて、アームの軸方向に対して直交する方向に延長されたパットと、を備えていることを特徴とする。
【考案の効果】
【００１５】
本考案にかかる充電部点検装置およびカメラ固定治具によれば、作業員の負担を軽減しつつ、絶縁棒先端の振れを抑えてカメラの画像のぶれをなくし、柱上機器や高圧・低圧架線などの鮮明な画像を得ることができる。
【図面の簡単な説明】
【００１６】
【図１】実施形態にかかる充電部点検装置およびカメラ固定治具の全体構成を説明する図である。
【図２】アームとパットの斜視図である。
【図３】アームとパットの部品図である。
【図４】アームとパットの組立透視図である。
【図５】充電部点検装置の使用態様を説明する図である。
【図６】アームとパットの他の例を説明する図である。
【考案を実施するための形態】
【００１７】
以下に添付図面を参照しながら、本考案の好適な実施形態について詳細に説明する。かかる実施形態に示す寸法、材料、その他具体的な数値などは、考案の理解を容易とするための例示に過ぎず、特に断る場合を除き、本考案を限定するものではない。なお、本明細書及び図面において、実質的に同一の機能、構成を有する要素については、同一の符号を付することにより重複説明を省略し、また本考案に直接関係のない要素は図示を省略する。
【００１８】
図１は実施形態にかかる充電部点検装置およびカメラ固定治具の全体構成を説明する図である。充電部点検装置１００は、絶縁棒１１０の先端にカメラ１２０を備えている。カメラ１２０は必ずしも先端に取り付けていなくてもよく、先端近傍の軸に取り付けてもよい。カメラ１２０が撮影した画像(動画像を含む)は、無線によって作業員の手元のモニター１３０に転送され、表示および録画することができる。なおカメラ１２０は広角カメラやパン・チルト機能つきのカメラとすることで、絶縁棒１１０を動かさずに広範囲を撮影することができるため好適である。
【００１９】
さらに絶縁棒１１０の先端近傍には、撮影対象の周辺に当接させるカメラ固定治具として、アーム１４０およびパット１５０が取り付けられている。
【００２０】
図２はアームとパットの斜視図、図３はアームとパットの部品図、図４はアームとパットの組立透視図である。図２に示すように、絶縁棒１１０の先端にアダプターボルト１１２を取り付け、これにアーム１４０の取付穴１４２を挿通し、アダプターボルト１１２にカメラ１２０を取り付けている。アダプターボルト１１２は、一方は絶縁棒１１０に螺合するネジ山が切ってあり、他方にカメラ１２０の雲台取付用のネジ穴に螺合するネジ山が切ってある。
【００２１】
図３に示すように、アーム１４０は長尺の平板であって、一端に取付穴１４２を有している。上記構成により、アーム１４０は絶縁棒１１０の軸方向に対して横方向に延長された状態で取り付けられる。アーム１４０はカメラ１２０の前方、側方、後方のいずれに向けて固定してもよい。また、アーム１４０を自由に回転可能として、傾けた方向に向くようにしてもよい。さらに、アーム１４０をカメラ１２０と共締めにせずに、カメラ１２０とは別に絶縁棒１１０の軸に取り付けてもよい。
【００２２】
パット１５０は、アーム１４０の中途位置に取り付けられていて、アームの軸方向に対して直交する方向に延長される平板の部材である。本実施形態では、パット１５０はアーム１４０から上方に延長された上舌片１５２と、下方に延長された下舌片１５４とを備えている。
【００２３】
なおアーム１４０およびパット１５０は、平板でなくてもよく、角材やパイプであってもよい。ただし周辺との当接面が平面であるほうが安定するため、パイプよりは平板や角材のほうが好ましい。
【００２４】
図３（ａ）に示すように、アーム１４０には幅を狭くする切欠き１４６が複数（図では２組）形成されている。一方、図３（ｂ）に示すように、パット１５０には２段穴１５６が形成されている。２段穴１５６は、アーム１４０に対応する広幅部１５６ａと切欠き１４６に対応する狭幅部１５６ｂを有する。図３（ｃ）はくさび板１５８であり、広幅部１５６ａに挿通可能な幅と高さの板材である。
【００２５】
図４（ａ）に示すように、２段穴１５６の広幅部１５６ａにアーム１４０をスライド可能に挿通し、狭幅部１５６ｂの部分をアーム１４０の複数の切欠き１４６のいずれかに嵌合させることにより、パット１５０の位置調整が可能である。狭幅部１５６ｂを切欠き１４６に嵌めた後は、アーム１４０の裏側で広幅部１５６ａにくさび板１５８を嵌めこむことにより、パット１５０の脱落を防止することができる。くさび板１５８は、くさび板１５８の穴１５８ａとアーム１４０の穴１４４をネジ止めすることによって固定する。
【００２６】
図５は充電部点検装置１００の使用態様を説明する図である。図５（ａ）では、柱上機器の例として電柱１０に取り付けられた変圧器２０を示している。そして、変圧器２０の装柱金物である腕金３０にアーム１４０をひっかけるように当接させて、銘板２０ａをカメラ１２０で撮影している。このとき、パット１５０も腕金３０に側方から当接させている。
【００２７】
図５（ｂ）は、高圧・低圧架線５０のメッセンジャーワイヤー４０にアーム１４０をひっかけるように当接させて、高圧・低圧架線５０をカメラ１２０で撮影している。このとき、パット１５０もメッセンジャーワイヤー４０または高圧・低圧架線５０に側方から当接させている。
【００２８】
これらのようにアーム１４０を撮影対象の周辺に当接させることにより、強風や絶縁棒の重量による絶縁棒１１０先端の振れを抑えてカメラの画像のぶれをなくすことができる。したがって柱上機器や高圧・低圧架線５０などの鮮明な画像を得ることができ、銘板２０ａの文字を読み取ったり、発錆や損傷の程度を正確に把握したりすることができる。また、アーム１４０を撮影対象の周辺にひっかけることにより、作業員が負担する絶縁棒１１０およびカメラ１２０の重量を大幅に軽減できるため、長時間の作業も容易となる。
【００２９】
また、パット１５０を備えていることにより、絶縁棒１１０の横方向（アーム１４０の軸方向）にも突き当てることが可能となっている。したがって、より絶縁棒１１０先端の振れを安定させることができる。
【００３０】
また図５（ｃ）に示すように、アーム１４０を腕金３０などの下側から当接させることもできる。このとき、絶縁棒１１０を伸ばして腕金３０と地面との間で突っ張ることにより、充電部点検装置１００全体を固定することができる。すると作業者が手を離しても状態を維持することが可能となる。作業者の手があくことは非常に有益であり、モニター１３０の操作や、データの記録や処理などを自由に行うことができるため、作業効率を著しく向上させることが可能となる。
【００３１】
このようにアーム１４０は、上からひっかける場合と、下から押し上げる場合が想定される。したがって、パット１５０を上下に延長させておくことにより、いずれの場合にもパット１５０を撮影対象の周辺に当接させることができ、絶縁棒１１０先端の振れを安定させることができる。
【００３２】
また、パット１５０の位置調整をすることにより、パット１５０より突出するアーム１４０の長さを調節することができる。したがって現場の腕金３０のサイズにあわせたり、腕金３０の周辺に存在するケーブルを超えて腕金３０に届くようにアーム１４０先端を伸ばすことができるため、より絶縁棒１１０の先端の振れを安定させることができる。
【００３３】
図６はアーム１４０とパット１５０の他の例を説明する図である。
【００３４】
上述したように、アーム１４０は絶縁棒の軸方向に対して少なくとも横方向に延長されていればよい。図６（ａ）に示すアーム１４０ａは、カメラ１２０の左右両側に延長されていて、それぞれにパット１５０を備えている。これによりカメラ１２０の左右のいずれ側でも当接させやすい。ただし重量が増すことと、狭隘部に差し込みにくくなるため、状況に合わせて使い分けるとよい。
【００３５】
また横方向に加えて、上方向や下方向に延長されていてもよい。図６（ｂ）に示すアーム１４０ｂは、左右横方向からそれぞれ上方向に延長し、さらに上端を横方向に連結して、全体として枠形状となっている。これによりカメラ１２０の左右で当接できるうえ、カメラ１２０の直上でも下から押し上げるように当接させることができる。
【００３６】
図６（ｃ）に示すアーム１４０ｃは、横方向から上方向に屈曲し、ふたたび横方向に屈曲させることにより、全体として鈎（かぎ）形状となっている。これによりカメラ１２０の直上で撮影対象の周辺にひっかけることができるため、例えば高圧・低圧架線５０の下側を観察する場合や、腕金３０より下にある機器を観察する場合に簡便である。
【００３７】
また上述したように、パット１５０はアーム１４０の軸方向に対して直交する方向に延長されていればよい。上記実施形態ではパット１５０は上下両方に延長しているように説明したが、上下のいずれか一方であってもよい。そしてさらに多くの方向に延長していてもよい。図６（ｄ）に示すパット１５０ａは、上下に加えて左右方向にも延長している。図６（ｅ）に示すパット１５０ｂは全方向に延長させた円板形状をしている。これらの形状により、様々な金物や部材に応じてアームを当接させてカメラを安定させることが可能となる。
【００３８】
以上、添付図面を参照しながら本考案の好適な実施例について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【産業上の利用可能性】
【００３９】
本考案は、柱上機器や高圧・低圧架線などの高所の充電部の点検に適した充電部点検装置、およびカメラ固定治具として利用することができる。
【符号の説明】
【００４０】
２０…変圧器、２０ａ…銘板、３０…腕金、４０…メッセンジャーワイヤー、５０…高圧・低圧架線、１００…充電部点検装置、１１０…絶縁棒、１１２…アダプターボルト、１２０…カメラ、１３０…モニター、１４０、１４０ａ、１４０ｂ、１４０ｃ…アーム、１４２…取付穴、１４４…穴、１４６…切欠き、１５０、１５０ａ、１５０ｂ…パット、１５２…上舌片、１５４…下舌片、１５６…２段穴、１５６ａ…広幅部、１５６ｂ…狭幅部、１５８…くさび板、１５８ａ…穴
【図１】
0003203472.tif 000003
【図２】
0003203472.tif 000004
【図３】
0003203472.tif 000005
【図４】
0003203472.tif 000006
【図５】
0003203472.tif 000007
【図６】
0003203472.tif 000008